(57)【要約】【課題】双方向に高周波信号を流してもインピーダンス整合がとれ、かつ、分岐ロスを最小化することができる分岐アダプタを提供する。【解決手段】トランス素子の２次側の一方どうしを接続した二つのトランス素子から構成される２組について、その各組のトランス素子の他の２次側どうしを連結するとともに、連結したこれら２次側どうしを、インピーダンス素子を介して接続した４個のトランス素子の組合せを有する回路と、一次側を分岐前ポートとした分岐前ポート用トランス素子を備えている。そして、分岐前ポート用トランス素子の２次側の一方を二つのトランス素子の２次側の一方どうしを接続した一方の接続部に接続し、分岐前ポート用トランス素子の２次側の他方を二つのトランス素子の２次側の他方どうしを接続した接続部に接続し、４個のトランス素子の一次側を、分岐後ポートとしている。【選択図】  図２
2010028564.tif 000002
【特許請求の範囲】
【請求項１】
分岐前のインピーダンス素子を含む６つのインピーダンス素子がブリッジ回路を構成するように接続するとともに、前記ブリッジ回路がなす一方の対角を前記分岐前のインピーダンス素子に連結し、同じく他方の対角を所定の抵抗値を有する終端抵抗を介して接続したインピーダンス素子から構成されるブリッジ回路であって、前記終端抵抗を除いた前記インピーダンス素子をトランス素子から構成し、前記トランス素子の一次側を外部機器と接続する接続ポートとし、さらに、前記トランス素子の二次側を、前記ブリッジ回路を構成する構成要素としたことを特徴とする分岐アダプタ。
【請求項２】
トランス素子の２次側の一方どうしを接続した二つのトランス素子から構成される２組について、その各組の前記トランス素子の他の２次側どうしを連結するとともに、前記連結した２次側どうしを、インピーダンス素子を介して接続した４個のトランス素子の組合せを有する回路と、
一次側を分岐前ポートとした分岐前ポート用トランス素子を備え、
前記分岐前ポート用トランス素子の２次側の一方を前記二つのトランス素子の２次側の一方どうしを接続した一方の接続部に接続し、前記分岐前ポート用トランス素子の２次側の他方を前記二つのトランス素子の２次側の他方どうしを接続した接続部に接続した構成からなり、
前記４個のトランス素子の一次側を、分岐後ポートとしたことを特徴とする分岐アダプタ。
【請求項３】
前記４個のトランス素子の組合せを有する回路の４組と、一次側を分岐前ポートとした分岐前ポート用トランス素子を備え、
前記４個のトランス素子の組合せを有する回路の４組の各組について、その前記二つのトランス素子の２次側の一方どうしを接続した一方の接続部を前記分岐前ポート用トランス素子の二次側の一方に、前記二つのトランス素子の２次側の他方どうしを接続した他方の接続部を前記分岐前ポート用トランス素子の二次側の他方に接続し、
さらに、前記４個のトランス素子の組合せを有する回路の４組の各組について、その前記二つのトランス素子の２次側の他方どうしを、インピーダンス素子を介して接続した構成からなり、
前記４個のトランスの組合せを有する回路の４組を構成する１６個のトランスの一次側を、分岐後ポートとしたことを特徴とする請求項２に記載の分岐アダプタ。
【請求項４】
前記トランス素子は、その一次側と二次側の巻線比は１：１とされていることを特徴とする請求項１から請求項３に記載の分岐アダプタ。
【請求項５】
前記トランス素子の一次側は、その接続ポートと前記一次側との間に接続された結合コンデンサを備えていることを特徴とする請求項１から請求項４のいずれかに記載の分岐アダプタ。
【請求項６】
前記トランス素子の一次側は、その接続ポート間に設けた終端抵抗を作動させるためのスイッチ手段を備えていることを特徴とする請求項１から請求項５のいずれかに記載の分岐アダプタ。
【発明の詳細な説明】
【技術分野】
【０００１】
本発明は、伝送路を流れている高周波信号を多数に分岐するとともに、伝送路の双方向に対してインピーダンスの整合、及びロスの最小化がとれた分岐アダプタに関するものである。
【背景技術】
【０００２】
伝送路を流れている高周波信号を分岐（分配）するための分岐アダプタ（分配器）としては、例えば、ＣＡＴＶ等の高周波信号を分岐する手段として各種の分岐アダプタが提案されている。このような分岐アダプタは、一つのトランスを用いて２分岐の出力を備えた２分岐アダプタ、あるいは複数のトランスを組み合せた電気回路により、多分岐の出力を備えた多分岐アダプタが提案されている。
【０００３】
２分岐の出力端子を備えた２分岐アダプタとしては、例えば、下記の特許文献１に記載の発明が提案されている。特許文献１には、ＣＡＴＶ等の高周波信号を分岐する分配器として、基板上に、単一のフェライトコアに巻線を施したインピーダンス整合用トランスＴ１と信号用分配トランスＴ２を配設して、これら整合用トランスＴ１と分配トランスＴ２とを金属板で結合した高周波信号分配器が記載されている。さらに、特許文献１には、整合用トランスＴ１は、この整合用トランスＴ１の出力インピーダンスが周波数に対し一定になるように、補正用の抵抗ＲｓおよびコンデンサＣｓを介して接地させることが記載されている。
【０００４】
多分岐の出力端子を備えた分岐アダプタとしては、例えば、下記の特許文献２に記載の発明が提案されている。特許文献２には、ＣＡＴＶシステム等に使用される高周波信号を６等分する６分配器として、入力端子側から第１の分配トランスＴ１０（２分配トランス）と、第１の整合トランスＴ２０と、第２の分配トランスＴ３０（３分配トランス）と、第２の整合トランスＴ４０とをこの順に配列した構成とした６分配器が記載されている。さらに、特許文献２には、上記のように各トランスを配置することにより高周波信号の高域における劣化を抑え、安定したインピーダンスを得ることができることが記載されている。
【０００５】
【特許文献１】特開２００２−２７１１６１号公報
【特許文献２】特許第３１５３５５９号公報
【発明の開示】
【発明が解決しようとする課題】
【０００６】
上記特許文献１に記載の高周波信号分配器は、インピーダンス整合用トランスＴ１と信号用分配トランスＴ２を配設することにより、高周波信号を２分岐する分配器であって、高周波信号をさらに３分岐以上に多分岐するための構成については開示されていない。また、特許文献１に記載の高周波信号分配器は、高周波信号が入力端子側から出力端子側へと一方向に流れるときのインピーダンス整合をとる手段は設けられているが、この分配器は、高周波信号を出力端子側から入力端子側に流すための分配器、すなわち、伝送路に高周波信号を双方向に流すために使用するための分配器ではない。
【０００７】
上記特許文献２に記載の６分配器は、入力端子側から第１の分配トランスＴ１０（２分配トランス）と、第１の整合トランスＴ２０と、第２の分配トランスＴ３０（３分配トランス）と、第２の整合トランスＴ４０とをこの順に配列した構成にすることにより、６分配した分配器であるが、上記特許文献１と同様に、伝送路に高周波信号を双方向に流すために使用するための分配器ではない。
【０００８】
データ通信を行なうための通信線を備えたネットワークシステムにおいては、この通信線（伝送路）にはデータ信号となる高周波信号が双方向に流れる。そして、このネットワークシステムに多数の端末装置を接続する場合には、この伝送路を多数に分岐する必要が生じる場合がある。例えば、ＡＣ１００Ｖの電力線を利用して通信を行なうＰＬＣ（Power Line Communication）通信を用いたネットワークシステムである。
【０００９】
例えば、大規模ビルディング等において、各フロアに配置されているパーソナルコンピュータ等の端末装置や各種の電気（電子）機器等を、ＰＬＣ通信を用いたネットワークで接続する場合には、フロアに配線された電力線をさらに多数に分岐してこれら電子機器に接続する必要が生じる。上記した特許文献１及び２には、上記したネットワークシステムの伝送路において、双方向に高周波信号を流すことを目的とした分岐アダプタではない。
【００１０】
そこで、本発明の目的は、高周波信号を多数に分岐することができるとともに、双方向に高周波信号を流してもインピーダンス整合がとれ、かつ、分岐ロスを最小化することができる分岐アダプタを提供することにある。特に、本発明は、ＰＬＣ通信を用いたネットワークシステムの伝送路を多数に分岐するための分岐アダプタを提供することにある。
【課題を解決するための手段】
【００１１】
上記した課題を解決するために、請求項１に記載の発明に係る分岐アダプタは、分岐前のインピーダンス素子を含む６つのインピーダンス素子がブリッジ回路を構成するように接続するとともに、前記ブリッジ回路がなす一方の対角を前記分岐前のインピーダンス素子に連結し、同じく他方の対角を所定の抵抗値を有する終端抵抗を介して接続したインピーダンス素子から構成されるブリッジ回路であって、前記終端抵抗を除いた前記インピーダンス素子をトランス素子から構成し、前記トランス素子の一次側を外部機器と接続する接続ポートとし、さらに、前記トランス素子の二次側を、前記ブリッジ回路を構成する構成要素としたことを特徴としている。
【００１２】
また、請求項２に記載の分岐アダプタは、トランス素子の２次側の一方どうしを接続した二つのトランス素子から構成される２組について、その各組の前記トランス素子の他の２次側どうしを連結するとともに、前記連結した２次側どうしを、インピーダンス素子を介して接続した４個のトランス素子の組合せを有する回路と、
一次側を分岐前ポートとした分岐前ポート用トランス素子を備え、
前記分岐前ポート用トランス素子の２次側の一方を前記二つのトランス素子の２次側の一方どうしを接続した一方の接続部に接続し、前記分岐前ポート用トランス素子の２次側の他方を前記二つのトランス素子の２次側の他方どうしを接続した接続部に接続した構成からなり、
前記４個のトランス素子の一次側を、分岐後ポートとしたことを特徴としている。
【００１３】
また、請求項３に記載の発明は、請求項２に記載の分岐アダプタに係り、前記４個のトランス素子の組合せを有する回路の４組と、一次側を分岐前ポートとした分岐前ポート用トランス素子を備え、
前記４個のトランス素子の組合せを有する回路の４組の各組について、その前記二つのトランス素子の２次側の一方どうしを接続した一方の接続部を前記分岐前ポート用トランス素子の二次側の一方に、前記二つのトランス素子の２次側の他方どうしを接続した他方の接続部を前記分岐前ポート用トランス素子の二次側の他方に接続し、
さらに、前記４個のトランス素子の組合せを有する回路の４組の各組について、その前記二つのトランス素子の２次側の他方どうしを、インピーダンス素子を介して接続した構成からなり、
前記４個のトランスの組合せを有する回路の４組を構成する１６個のトランスの一次側を、分岐後ポートとしたことを特徴としている。
【００１４】
また、請求項４に記載の発明は、請求項１から請求項３のいずれかに記載の分岐アダプタに係り、前記トランス素子は、その一次側と二次側の巻線比は１：１とされていることを特徴としている。
【００１５】
また、請求項５に記載の発明は、請求項１から請求項４のいずれかに記載の分岐アダプタに係り、前記トランス素子の一次側は、その接続ポートと前記一次側との間に接続された結合コンデンサを備えていることを特徴としている。
【００１６】
また、請求項６に記載の発明は、請求項１から請求項５のいずれかに記載の分岐アダプタに係り、前記トランス素子の一次側は、その接続ポート間に設けた終端抵抗を作動させるためのスイッチ手段を備えていることを特徴としている。
【発明の効果】
【００１７】
本発明によれば、一次二次コイルの巻線比を１：１にした５個のトランス素子を、ブリッジ構成の回路を形成するように接続した構成を備え、さらに、ブリッジ構成の回路に５０Ωのインピーダンス素子を備えているので、伝送路における高周波信号の双方向の分岐ロスを最小化することができ、さらに、伝送路の双方向のインピーダンス整合をとることができる４分岐の分岐アダプタを提供することができる。
【００１８】
本発明は、さらに、５個のトランス素子をブリッジ構成の回路を形成するように接続した４組を、ブリッジ構成の回路を形成するように多重構造とすることにより、１６分岐の分岐アダプタを提供することができる。
また、本発明の分岐アダプタは、分岐後ポートに終端抵抗を接続することにより、２分岐〜１５分岐を備えた分岐アダプタとして使用することができるようになる。これにより、本発明は、特に、多数の端末装置を接続したＰＬＣ通信を用いたネットワークシステムの伝送路を、多数に分岐するための分岐アダプタとして効果を発揮することができる。
【発明を実施するための最良の形態】
【００１９】
前記したように、従来から、伝送路を分岐する手段として２方向等に分岐する高周波トランス素子が使用されているが、ネットワーク上に多数の端末装置等の電子機器を接続するためには、例えば、伝送路を４分岐以上と多数に分岐するとともに、双方向に対してインピーダンス整合がとれた分岐アダプタを用いる必要性が生じる。すなわち、このような分岐アダプタには、下記１）〜３）に記載の要求を満たす必要がある。
【００２０】
１）伝送路を多数に分岐するので、双方向の分岐ロスが増大するが、これを最小化する。さらに、双方向のインピーダンス整合をとる。
【００２１】
２）電力線となるＡＣ１００Ｖとも結合可能にするとともに、高周波トランス素子から構成された分岐アダプタを実現する場合には、一次と対地間、および一次と二次間の絶縁が確保される構成にする。さらに、分岐アダプタの分岐後ポートの全てに電子機器が接続されている場合と、この分岐後ポートの一部に電子機器が接続されていない場合とで、終端抵抗が自動的あるいは手動で開放又は接続可能となる構成にして、上記した双方向（下り方向と上り方向）のインピーダンスの整合がとれるような構成にする。
【００２２】
３）多数の電子機器を接続するネットワークの伝送路を、分岐アダプタで分岐するために、１本の伝送路を、最大１６分岐を行なうことができるような多分岐可能な構成にする。
【００２３】
上記の要求を解決するために、本発明の分岐アダプタは、次の１）〜５）に記載の技術的思想に基づいて実現したものである。
【００２４】
１）図１に示す６個のインピーダンス素子Ｚ０〜Ｚ５がブリッジ回路を構成するように結合した回路において、これらインピーダンス素子Ｚ０〜Ｚ５を５０Ωに統一とする。このインピーダンス素子Ｚ０〜Ｚ５がブリッジ構成をなす回路において、インピーダンス素子Ｚ５からみたインピーダンスは５０Ωとなり、インピーダンス素子Ｚ０からみたインピーダンスも５０Ωになる。同様に、インピーダンス素子Ｚ１、Ｚ２、Ｚ３からみたインピーダンスも５０Ωになる。また、逆側からみたインピーダンスもそれぞれ５０Ωとなる。
【００２５】
２）また、図１に示すブリッジ回路において、インピーダンス素子Ｚ５を駆動インピーダンスとし、インピーダンス素子Ｚ０を終端インピーダンスとした場合、インピーダンス素子Ｚ５とＺ０間の電圧レベルは６ｄＢのダウンとなり、同様に、インピーダンス素子Ｚ５とインピーダンス素子Ｚ１、Ｚ２、Ｚ３の間の分岐ロスも６ｄＢのダウンとなる。
【００２６】
３）逆に、インピーダンス素子Ｚ０を駆動インピーダンスとし、インピーダンス素子Ｚ５を終端インピーダンスとした場合、インピーダンス素子Ｚ０とＺ５間の電圧レベルは６ｄＢのダウンとなり、同様に、インピーダンス素子Ｚ１、Ｚ２、Ｚ３をそれぞれ駆動インピーダンスとした場合も電圧レベルは６ｄＢのダウンが実現できる。
【００２７】
４）すなわち、図１に示すブリッジ回路において、ブリッジを構成する全てのインピーダンス素子を５０Ωに統一し、ブリッジ回路の第１の中間点ａとｃ（図１に示す対角ａ、ｃ）に分岐前のインピーダンス素子Ｚ５の一方を接続し、対角（ｂ、ｄ）、すなわち、第２の中間点ｂとｄ間に配置したインピーダンス素子Ｚ４を５０Ωの抵抗として終端すれば、双方向の分岐ロスが最小化された、かつ、双方向インピーダンスの整合がとれた分岐アダプタを実現することができる。すなわち、ブリッジ回路を構成する６つのインピーダンス素子のうち、ブリッジ回路がなす一方の対角を接続するインピーダンス素子（Ｚ４）を、所定の抵抗値を有する終端抵抗とする。
【００２８】
５）そして、図１に示すインピーダンス素子Ｚ０、Ｚ１、Ｚ２、Ｚ３及びＺ５の代わりに、トランス素子を使用し、これら５つのトランス素子の一次側を外部機器と接続するポート（端子）として使用する。さらに、これらのトランス素子の二次側を、ブリッジ回路を構成する構成要素として使用するとともに、インピーダンス素子Ｚ４を５０Ωの抵抗として終端したブリッジを構成することにより、一次一次間、一次二次間で絶縁が確保できる分岐アダプタを実現することができる。
【００２９】
以下に、上記した技術的思想に基づいて開発した本発明の分岐アダプタについて、その実施形態を説明する。図２は、本発明の分岐アダプタについて、第１の実施形態を示す回路構成図であって、４分岐の分岐アダプタの一例を示している。
【００３０】
（第１の実施形態）
図２は、４分岐の構成とした分岐アダプタ１の回路構成例を示している。この分岐アダプタ１は、フェライトコアから構成される高周波用小型トランス素子（以下、「トランス素子」という）の５個を、ブリッジ構成の回路を形成するように構成している。これら各トランス素子の一次側及び２次側のコイルの巻線数の比は１：１としている。また、高周波用のトランス素子であるために、その巻数は２〜４巻き程度で良い。さらに、このトランス素子の形状は１ｃｍ３程度の小型・薄型形状に製造することができる。さらに、これら複数のトランス素子を基板に配置して回路を形成することにより、一つの分岐アダプタをユニット化することができる。
【００３１】
図２に示す分岐アダプタ１は、５個のトランス素子（２−１）〜（２−５）を、ブリッジ構造からなる回路を形成するように接続して、４分岐の出力端子（分岐後ポート）Ｐ１〜Ｐ４を備えた構成としたものである。図２に示すように、５個のトランス素子のうち、トランス素子（２−１）の一次側をネットワークの通信線、あるいはＰＬＣ通信を用いたネットワークの場合には電力線を接続する入力側端子（以下、「分岐前ポート」という）用トランス素子としている。また、４個のトランス素子（２−２）〜（２−５）のそれぞれの一次側を外部機器となる電子機器を接続する出力端子（以下、「分岐後ポート」という）としている。これにより、分岐アダプタ１は、分岐前ポートＰ０がブリッジを構成する回路により４分岐された分岐後ポートＰ１、Ｐ２、Ｐ３、Ｐ４を備えることになる。
【００３２】
図２に示す４分岐の分岐アダプタ１の回路構成を詳細に説明すると次のようになる。
分岐前ポートとなるトランス素子（２−１）の一次側、すなわち、分岐前ポートＰ０は、ＡＣ１００Ｖを供給する電力線と接続する端子になる。図２に示す例では、この分岐前ポートＰ０が、分電盤Ｂから分岐した電力線（ＡＣ１００Ｖ）を接続することを示している。
【００３３】
そして、このトランス素子（２−１）の二次側の一つを、２つのトランス素子（２−２）とトランス素子（２−４）の二次側の一方を結ぶ導線に連結点３ａとして接続する。また、トランス素子（２−１）の他の二次側を、２つのトランス素子（２−３）とトランス素子（２−５）の他方の二次側を結ぶ導線に連結点３ｂとして接続する。
【００３４】
さらに、トランス素子（２−２）とトランス素子（２−４）の他の二次側と、トランス素子（２−３）とトランス素子（２−５）の他の二次側とをそれぞれ連結点４ａ、４ｂとして接続するとともに、連結点４ａと４ｂとを５０Ωの抵抗６を介して接続する。また、電力線と接続するトランス素子（２−１）の一次側にはそれぞれ結合コンデンサ５を接続し、トランス素子（２−２）〜（２−５）の一次側もコンデンサ５を接続した分岐後ポートとしている。これにより、各トランス素子の二次側は、ブリッジ回路を構成する構成要素になる。
【００３５】
図２に示す構成の分岐アダプタ１において、トランス素子（２−１）の一次側を分岐前ポートＰ０として、ＡＣ１００Ｖを供給する電力線と接続しても、結合コンデンサ５によりＡＣ１００Ｖはカットされて伝送データとなる高周波信号のみが分岐アダプタ１を構成する回路内を流れる。これにより、分岐アダプタ１はＡＣ１００Ｖに接続可能な分岐アダプタとすることができる。
【００３６】
さらに、ブリッジ構成となるように５つのトランス素子（２−１）〜（２−５）を接続しているので、分岐アダプタ１を構成する各トランス素子の一次側は、いずれも上り方向及び下り方向からみてもインピーダンスが同一、すなわち、伝送路の下り及び上り方向の双方においてインピーダンスの整合をとることができる。また、ブリッジ構成により、伝送路を４つに分岐しても分岐におるロスを最小化させることが可能になる。さらに、各トランス素子（２−１）〜（２−５）の一次側に結合コンデンサ５を接続し、これら一次側に外部機器７を接続する構成としているので、トランス素子の一次二次間の絶縁と、分岐アダプタ１の耐圧を確保することが可能になる。
【００３７】
図３は、図２に示す分岐アダプタ１において、トランス素子（２−２）〜（２−５）の一次側のいずれかの分岐後ポートＰ１〜Ｐ４、例えばトランス素子（２−５）（ポートＰ４）に電子機器７を接続する必要がない場合に、トランス素子（２−５）の一次側に５０Ωの終端抵抗８を接続して上記したインピーダンスの整合をとるようにした例を示している。このように、電子機器７を接続しない分岐後ポートＰ１〜Ｐ４の何れかには、５０Ωの終端抵抗８を接続することにより、図２に示す４分岐の分岐アダプタ１は、２又は３分岐の分岐アダプタとして使用することができる。また、５０Ωの終端抵抗を実際に接続する場合には、外部機器との接続を考慮して後述する図５に示すような構成にするとよい。
【００３８】
（第２の実施形態）
続いて、本発明に係る分岐アダプタの第２の実施形態を、図４に基づいて説明する。図４は、１６分岐とした分岐アダプタ１１の回路構成例を示している。この１６分岐の分岐アダプタ１１は、図２に示すブリッジ構造からなる回路を一つのユニットとして、このユニットの４つを、さらにブリッジ構造を形成するように配置することにより、１６分岐の分岐アダプタとしたものである。
【００３９】
図４に示す１６分岐の分岐アダプタ１１は、図１に示すブリッジ構成をなす４つの高周波トランス素子（２−２）〜（２−５）を一つのブリッジ構成パターン（図４に示すパターンＡ１、Ａ２、Ａ３、Ａ４）とし、このブリッジ構成パターンの４つが、さらにブリッジ構成をなすように配置した回路構成とすることにより、１６個の分岐後ポートＰ１〜Ｐ１６が形成されるようにしたものである。すなわち、図４に示すように、１個の高周波トランス素子（２−１）を分岐前用トランスとしてその一次側を分岐前ポートＰ０とし、１６個の高周波トランス素子（２−２）〜（２−１７）の一次側を分岐後ポートＰ１〜Ｐ１６として、計１６個の分岐後ポートを備えた回路構成としたものである。
【００４０】
図４に示す１６分岐の分岐アダプタ１１について、その回路構成の詳細を説明すると次のようになる。
１）ブリッジ構成パターンＡ１を構成するトランス素子（２−２）と（２−４）の二次側の一方どうしを導線で接続する。同様に、ブリッジ構成パターンＡ２を構成するトランス素子（２−１０）と（２−１２）の二次側の一方どうしを接続するとともに、これら接続した導線の連結点（３ａ−１）と（３ａ−２）を導線９ａにより接続する。
【００４１】
２）ブリッジ構成パターンＡ３とＡ４についても、上記１）と同様に、連結点３ｂ−３と３ｂ−４を設けて、これら連結点（３ｂ−３）と（３ｂ−４）を導線９ｂにより接続する。
【００４２】
３）ブリッジ構成パターンＡ１を構成するトランス素子（２−３）と（２−５）の二次側の一方どうしを導線で接続する。同様に、ブリッジ構成パターンＡ３を構成するトランス素子（２−６）と（２−８）の二次側の一方どうしを接続するとともに、これら接続した導線の連結点（３ｂ−２）と（３ａ−３）を導線９ｃにより接続する。
【００４３】
４）ブリッジ構成パターンＡ２を構成するトランス素子（２−１１）と（２−１３）の二次側の一方どうしを導線で接続する。同様に、ブリッジ構成パターンＡ４を構成するトランス素子（２−１４）と（２−１６）の二次側の一方どうしを接続するとともに、これら接続した導線の連結点（３ｂ−２）と（３ａ−４）を導線９ｄにより接続する。
【００４４】
５）導線９ｃと９ｄとを５０Ωの抵抗６を介して接続する。
６）分岐アダプタ１１の入力端子（分岐前ポート）Ｐ０として配置したトランス素子（２−１）の二次側の一方を導線９ａに、同じく二次側の他方を導線９ｂに接続する。
７）４つのブリッジ構成パターンＡ１とＡ２とＡ３とＡ４を構成する各高周波トランス素子（２−２）〜（２−１７）の一次側にはコンデンサ５を接続する。
【００４５】
そして、他の回路構成は、図２に示す４分岐の分岐アダプタ１の構成と同じ構成にする。例えば、ブリッジ構成パターンＡ１において、トランス素子（２−２）と（２−３）の二次側の一方どうしを接続し、同様にトランス素子（２−４）と（２−５）の二次側の一方どうしを接続する。そして、これらの接続点４ａと４ｂを５０Ωの抵抗６を介して接続する。
【００４６】
上記した回路構成からなる１６分岐の分岐アダプタ１１において、４つのブリッジ構成パターンＡ１、Ａ２、Ａ３、Ａ４を構成するトランス素子（２−２）〜（２−１７）の１６個の一次側を分岐後ポートとして、外部機器７を接続する。また、分岐アダプタ１１の分岐前ポートとなるトランス素子（２−１）の一次側には、電力線又は通信線が接続される。
【００４７】
図４に示す１６分岐の分岐アダプタ１１においても、分岐後ポートに外部機器７を接続しない場合には、図３に示したように、使用しない分岐後ポートのトランス素子の一次側に５０Ωの終端抵抗８を接続して、インピーダンスの整合をとるようにする。これにより、  図４に示す分岐アダプタ１１は、最大１６個の分岐後ポートを備えた分岐アダプタとして使用することができる。
【００４８】
図５は、図２及び図４に示す各トランス素子に、自動又は手動で終端抵抗を作動させるスイッチ手段を設けたトランス素子２０の構成例を示している。図５に示すトランス素子２０は、その一次側の端子間にスイッチＳｗと５０Ωの終端抵抗８を直列に接続した構成を示している。そして、このトランス素子２０の一次側を分岐後ポートとして使用する場合には、手動操作によりスイッチＳｗを「開（開放：ＯＦＦ）」にして終端抵抗８が作動しないようにする。一方、トランス素子２０の一次側を分岐後ポートとして使用しない場合には、手動操作によりスイッチＳｗを「閉（ＯＮ）」にして終端抵抗８が作動するようにする。また、スイッチＳｗの開閉は、フォットリレー等を使用して、電子機器が接続されているときにはスイッチＳｗを自動的に「開」とし、電子機器が接続されていないときにはスイッチＳｗを自動的に「閉（ＯＮ）」とする制御を行なうことができる。
【００４９】
上記した本発明の分岐アダプタに係る第１の実施形態は４分岐、第２の実施形態は１６分岐の分岐後ポートを備えている。そして、分岐後ポートには上記したスイッチ手段を設けているので、ネットワークに接続されている電子機器等の端末装置の設置台数などに対応させて、この分岐後ポートを有効なポートとして使用することができる。なお、本発明の分岐アダプタの製作は、５個又は１７個の高周波トランスが図２又は図４に示すようなブリッジ回路をなす配線パターンを基板に形成し、この基板にこれらトランスと、結合コンデンサと、インピーダンス（抵抗）と、分岐前ポート及び分岐後ポートとなるモジューラジャック、スイッチ手段等、及びＡＣ１００Ｖ用端子等を固定する。そして、この基板を合成樹脂製の筐体に収納して固定するようにする。
【００５０】
また、本発明の分岐アダプタは、高周波トランス素子を、ブリッジ構成の回路を形成するように、またこのブリッジ構成の回路が多重構造となるように接続した構成を備え、さらに、一次側に結合コンデンサを接続するとともに、ブリッジ構成の回路に５０Ωのインピーダンス素子を備えているので、伝送路における高周波信号の分岐ロスを最小化することができ、さらに、伝送路の双方向のインピーダンス整合をとることができる分岐アダプタを提供することができる。これにより本発明は、特に、電力線を使用した通信を行なうＰＬＣ通信のネットワークシステムにおいて、その伝送路を多数に分岐するアダプタとして使用すると、その効果は大になる。
【図面の簡単な説明】
【００５１】
【図１】本発明の分岐アダプタについて、その回路の基本構成を説明するための図である。
【図２】本発明の分岐アダプタについて、４分岐の分岐アダプタの回路構成例を説明するための図である。
【図３】図２に示す分岐アダプタの分岐後ポートの一つに、終端抵抗を接続した状態を示す図である。
【図４】本発明の分岐アダプタについて、１６分岐の分岐アダプタの回路構成例を説明するための図である。
【図５】図２又は図４に示すトランス素子の一次側に、スイッチ手段を設けた回路例を示す図である。
【符号の説明】
【００５２】
１  ：分岐アダプタ（４分岐の分岐アダプタ）
２−１、２−２、・・・・、２−１７：高周波トランス素子
５  ：結合コンデンサ
６  ：抵抗
７  ：電子機器（外部機器）
８  ：終端抵抗
１１：分岐アダプタ（１６分岐の分岐アダプタ）
Ａ１、Ａ２．Ａ３．Ａ４：ブリッジ構成パターン
Ｐ０：分岐前ポート（入力端子：接続ポート）
Ｐ１、Ｐ２、Ｐ３、・・・、Ｐ１６：分岐後ポート（出力端子：接続ポート）
Ｓｗ：スイッチ手段
【図１】
2010028564.tif 000003
【図２】
2010028564.tif 000004
【図３】
2010028564.tif 000005
【図４】
2010028564.tif 000006
【図５】
2010028564.tif 000007